(57)【特許請求の範囲】
【請求項１】
透視ディスプレイを備える装置によって、前記装置が別個装置の上に置かれたことを判定することであって、前記別個装置は別個装置ディスプレイを備える、前記判定することと；
前記装置が前記別個装置の上に置かれたことの前記判定に少なくとも部分的に基づいて、前記透視ディスプレイの装置表示域を定めることと；
前記装置表示域とは区別された、前記透視ディスプレイの別個装置表示域を定めることと；
前記装置から前記別個装置に、前記別個装置表示域を伝える表示域命令を送信することと；
入力を示す情報を受信することと；
前記入力が前記別個装置表示域に対応する入力位置を有することを判定することと；
前記入力が前記別個装置表示域に対応する入力位置を有することの前記判定に少なくとも部分的に基づいて、前記装置から前記別個装置に動作命令を送信することと；
を含む、方法。
【請求項２】
前記透視ディスプレイが、前記別個装置表示域内に情報を表示していることを判定することと；
前記情報が前記別個装置表示域内に在ることの前記判定に少なくとも部分的に基づいて、前記別個装置表示域中の前記情報の表示を終結することと；
を更に含む、請求項１に記載の方法。
【請求項３】
前記表示域命令が、前記別個装置表示域に位置が合うように情報を表示することを前記別個装置に指示するように構成される、請求項１〜２のいずれかに記載の方法。
【請求項４】
前記別個装置ディスプレイの大きさが、前記透視ディスプレイの大きさに実質的に等しく、前記装置が前記別個装置の上に置かれたことの前記判定は、前記透視ディスプレイが前記別個装置ディスプレイに実質的に位置が合っていることの判定を備え、前記表示域命令が、前記別個装置表示域の位置および前記別個装置表示域の大きさを指示する、請求項３に記載の方法。
【請求項５】
前記別個装置ディスプレイが、前記透視ディスプレイとは実質的に異なる大きさを有し、
前記方法が、
前記別個装置表示域の位置と実質的に位置が合う前記別個装置ディスプレイ上の位置を識別することと；
前記別個装置表示域の大きさと実質的に合致する、前記別個装置ディスプレイ上の大きさを識別することと；
を更に含み、
前記表示域命令が、前記別個装置ディスプレイ上の前記位置および前記別個装置ディスプレイ上の前記大きさを指示する、
請求項３に記載の方法。
【請求項６】
前記表示域命令が、前記装置表示域に位置が合った情報の表示を終結することを前記別個装置に指示するように構成される、請求項１〜５のいずれかに記載の方法。
【請求項７】
前記別個装置ディスプレイが、前記透視ディスプレイとは実質的に異なる大きさを有し、
前記方法が、
前記装置表示域の位置と実質的に位置が合う前記別個装置ディスプレイ上の位置を識別することと；
前記装置表示域の大きさと実質的に合致する、前記別個装置ディスプレイ上の大きさを識別することと；
を更に含み、
前記表示域命令が、前記別個装置ディスプレイ上の前記位置および前記別個装置ディスプレイ上の前記大きさを指示する、
請求項３に記載の方法。
【請求項８】
前記動作命令が、前記入力に対応する動作を実行することを前記別個装置に指示するように構成される、請求項１〜７のいずれかに記載の方法。
【請求項９】
前記入力が、前記装置表示域に対応する開始位置と前記別個装置表示域に対応する終了位置とを備えるドラッグ入力であり、
前記方法は、前記開始位置に対応するインターフェース要素を識別することを更に含み、
前記動作命令が前記インターフェース要素に関連付けられた情報を備える、
請求項８に記載の方法。
【請求項１０】
前記入力が、前記別個装置表示域に対応する開始位置と前記装置表示域に対応する終了位置とを備えるドラッグ入力であり、前記動作命令は、前記開始位置に関連するデータを識別して前記データを前記装置に送信することを前記別個装置に指示するように構成される、請求項８〜９のいずれかに記載の方法。
【請求項１１】
前記別個装置から前記データを受信することを更に含む、請求項１０に記載の方法。
【請求項１２】
前記装置がもはや前記別個装置の上に置かれていないことを判定することと；
前記装置がもはや前記別個装置の上に置かれていないことの前記判定に少なくとも部分的に基づいて、前記装置から前記別個装置に、前記別個装置表示域の終結を伝える表示域終結命令を送信することと；
を更に含む、請求項１〜１１のいずれかに記載の方法。
【請求項１３】
請求項１〜１２のいずれかに記載の方法を遂行する手段を備える装置。
【請求項１４】
処理手段及び記憶手段を備える装置であって、前記記憶手段はプログラム命令を格納し、前記プログラム命令は、前記処理手段に実行されると、前記装置に、請求項１〜１２のいずれかに記載の方法を遂行させるように構成される、装置。
【請求項１５】
装置の処理手段に実行されると、前記装置に、請求項１〜１２のいずれかに記載の方法を遂行させるように構成されるプログラム命令を備える、コンピュータプログラム。
【発明の詳細な説明】
【技術分野】
【０００１】
本願は一般に装置の表示域の決定に関する。
【背景】
【０００２】
現代社会の中で電子装置がますます普及するにつれ、多くのユーザが複数の装置を動作させる必要がますます増大してきた。例えば、ユーザは、装置と別個装置との間でファイルを共用する、或る装置からの情報を別個装置上で処理する、別個装置から或る装置を制御する、および／または類似のことを行うべく、益々自分の装置を用いるようになっている。しかして、電子デバイスのユーザが、装置、別個装置、および／または類似のものと、直感的な方法でやり取りできるように電子装置を構成することが望まれていよう。
【摘要】
【０００３】
本発明の例の様々な態様が、特許請求の範囲に述べられている。
【０００４】
１つ以上の実施形態は、透視ディスプレイを備えた装置によって本装置が別個装置の上に置かれたことを判定し、別個装置は別個装置ディスプレイを備え、本装置が別個装置の上に置かれたとの判定に少なくとも部分的に基づいて、透視ディスプレイの装置表示域を定め、本装置表示域とは区別された透視ディスプレイの別個装置表示域を定め、本装置から別個装置に別個装置表示域を伝える表示域命令を送信し、入力を示す情報を受信し、該入力が別個装置表示域に対応する入力位置を有することを判定し、入力が別個装置表示域に対応する入力位置を有するとの判定に少なくとも部分的に基づいて、本装置から別個装置に動作命令を送信するための装置、コンピュータ可読媒体、非一時的コンピュータ可読媒体、コンピュータプログラム製品、および／または方法を提供することができる。
【０００５】
１つ以上の実施形態は、透視ディスプレイを備えた装置によって本装置が別個装置の上に置かれたことを判定するための手段であって、別個装置は別個装置ディスプレイを備える、該判定するための手段と、本装置が別個装置の上に置かれたとの判定に少なくとも部分的に基づいて、透視ディスプレイの装置表示域を定めるための手段と、本装置表示域とは区別された透視ディスプレイの別個装置表示域を定めるための手段と、本装置から別個装置に別個装置表示域を伝える表示域命令を送信するための手段と、入力を示す情報を受信するための手段と、該入力が別個装置表示域に対応する入力位置を有することを判定するための手段と、入力が別個装置表示域に対応する入力位置を有するとの判定に少なくとも部分的に基づいて、本装置から別個装置に動作命令を送信するための手段と、を有する、装置、コンピュータ可読媒体、コンピュータプログラム製品、および／または非一時的コンピュータ可読媒体を提供することができる。
【０００６】
少なくとも１つのプロセッサおよび少なくとも１つのメモリを備える装置であって、メモリはマシン可読命令を備え、該命令は実行されると、本装置に、本装置が別個装置の上に置かれたことの判定であって、別個装置は別個装置ディスプレイを備える、該判定と、本装置が別個装置の上に置かれたとの判定に少なくとも部分的に基づく、透視ディスプレイの装置表示域の決定と、本装置表示域とは区別された透視ディスプレイの別個装置表示域の決定と、本装置から別個装置への別個装置表示域を伝える表示域命令の送信と、入力を示す情報の受信と、該入力が別個装置表示域に対応する入力位置を有することの判定と、入力が別個装置表示域に対応する入力位置を有するとの判定に少なくとも部分的に基づく本装置から別個装置への動作命令の送信と、を実行させる。
【０００７】
少なくとも１つの例示の実施形態において、本装置は、その透視ディスプレイが別個装置のディスプレイの少なくとも一部に実質的に位置が合うように、別個装置の上に置かれる。
【０００８】
少なくとも１つの例示の実施形態において、透視ディスプレイは、別個装置ディスプレイに表示される情報が透視ディスプレイを透して見えるように、別個装置ディスプレイに位置合わせされる。
【０００９】
少なくとも１つの例示の実施形態において、本装置が別個装置の上に置かれたことの判定は、本装置が、透視ディスプレイが別個装置ディスプレイの少なくとも一部に位置が合うように別個装置の上に置かれたことの判定を備える。
【００１０】
少なくとも１つの例示の実施形態において、本装置が、透視ディスプレイが別個装置ディスプレイの少なくとも一部に位置が合うように別個装置の上に置かれたことの該判定は、本装置が、別個装置ディスプレイに表示される情報が透視ディスプレイを透して見えるように別個装置の上に置かれたことの判定を備える。
【００１１】
少なくとも１つの例示の実施形態において、別個装置表示域と本装置表示域とはオーバーラップできない。
【００１２】
少なくとも１つの例示の実施形態において、本装置表示域は、本装置とのやり取りのために割り当てられた透視ディスプレイの領域である。
【００１３】
少なくとも１つの例示の実施形態において、別個装置表示域は、別個装置とのやり取りのために割り当てられた透視ディスプレイの領域である。
【００１４】
少なくとも１つの例示の実施形態において、別個装置によって表示される情報は、別個装置表示域を透して見える。
【００１５】
１つ以上の例示の実施形態は、透視ディスプレイが別個装置表示域内に情報を表示していることの判定と、別個装置表示域内に情報が在るとの判定に少なくとも部分的に基づく、別個装置表示域中の情報の表示の終結とをさらに実施する。
【００１６】
少なくとも１つの例示の実施形態において、別個装置表示域中の情報の表示を終結することは、情報を別個装置表示域から本装置表示域に移動することを備える。
【００１７】
少なくとも１つの例示の実施形態において、表示域命令は、別個装置に、情報が別個装置表示域に位置が合うように情報を表示する指示をするよう構成される。
【００１８】
少なくとも１つの例示の実施形態において、別個装置ディスプレイの大きさは、透視ディスプレイの大きさに実質的に等しく、本装置が別個装置の上に置かれたことの判定は透視ディスプレイが別個装置ディスプレイに実質的に位置合わせされていることの判定を備え、表示域命令は、別個装置表示域の位置および別個装置表示域の大きさを指示する。
【００１９】
少なくとも１つの例示の実施形態において、別個装置ディスプレイは、透視ディスプレイとは実質的に異なる大きさを有する。
【００２０】
１つ以上の例示の実施形態は、別個装置表示域の位置と実質的に位置の合う別個装置ディスプレイ上の位置の識別と、別個装置表示域の大きさと実質的に合致する別個装置ディスプレイの大きさの識別とをさらに実施し、表示域命令は、別個装置ディスプレイ上の位置および別個装置ディスプレイ上の大きさを指示する。
【００２１】
少なくとも１つの例示の実施形態において、表示域命令は、本装置表示域に位置が合った情報の表示を終結することを別個装置に指示するように構成される。
【００２２】
少なくとも１つの例示の実施形態において、動作命令は、入力に対応する動作を実行することを別個装置に指示するように構成される。
【００２３】
少なくとも１つの例示の実施形態において、動作命令は、入力の少なくとも１つの特徴を示す情報を備える。
【００２４】
少なくとも１つの例示の実施形態において、この入力の特徴は、入力位置、入力持続期間、または入力型のうちの少なくとも１つである。
【００２５】
少なくとも１つの例示の実施形態において、入力は選択入力であり、動作命令は、入力位置における選択入力を示す情報を備える。
【００２６】
少なくとも１つの例示の実施形態において、入力は、本装置表示域に対応する開始位置と、別個装置表示域に対応する終了位置とを備えるドラッグ入力である。
【００２７】
１つ以上の例示の実施形態は、開始位置に対応するインターフェース要素の識別をさらに実施し、動作命令はインターフェース要素に関連する情報を備える。
【００２８】
少なくとも１つの例示の実施形態において、入力位置が別個装置表示域に対応することの判定は、終了位置が別個装置表示域に対応することの判定を備える。
【００２９】
少なくとも１つの例示の実施形態において、インターフェース要素は、本装置のメモリ中に格納されたデータに関連付けられており、動作命令は、別個装置に、該データの少なくとも一部をコピーするよう指示する。
【００３０】
少なくとも１つの例示の実施形態において、動作命令は該データを備える。
【００３１】
少なくとも１つの例示の実施形態において、入力は、別個装置表示域に対応する開始位置と本装置表示域に対応する終了位置とを備えるドラッグ入力であり、動作命令は、開始位置に関連付けられたデータを識別しそのデータを本装置に送信することを別個装置に指示するように構成される。
【００３２】
少なくとも１つの例示の実施形態において、入力位置が別個装置表示域に対応することの判定は、開始位置が別個装置表示域に対応することの判定を備える。
【００３３】
１つ以上の例示の実施形態は、別個装置からのデータの受信をさらに実施する。
【００３４】
少なくとも１つの例示の実施形態において、終了位置は、１つのインターフェース要素に対応する。
【００３５】
１つ以上の例示の実施形態は、インターフェース要素に関連付けられた動作の起動を、該動作がデータを利用するように、さらに実施する。
【００３６】
１つ以上の例示の実施形態は、終了位置に対応するインターフェース要素の識別をさらに実施し、インターフェース要素に関連付けられた動作の起動は、該インターフェース要素の識別に少なくとも部分的に基づく。
【００３７】
１つ以上の例示の実施形態は、データを格納させることをさらに実施する。
【００３８】
１つ以上の例示の実施形態は、本装置がもはや別個装置の上に置かれていないことの判定と、本装置がもはや別個装置の上に置かれていないことの判定に少なくとも部分的に基づいて、本装置から別個装置への別個装置表示域の終結を伝える表示域終結命令の送信とをさらに実施する。
【００３９】
１つ以上の例示の実施形態は、本装置がもはや別個装置の上に置かれていないとの判定に少なくとも部分的に基づいて、別個装置表示域に対応する位置に情報を表示させることをさらに実施する。
【００４０】
本発明の実施形態のさらに完全な理解のために、添付の図面に関連させて以下の説明を参照するものとする。
【図面の簡単な説明】
【００４１】
【図１】少なくとも１つの例示の実施形態による、或る装置を示すブロック図である。
【図２】少なくとも１つの例示の実施形態による、或る透視ディスプレイを示す図である。
【図３】図３Ａ〜３Ｃは、少なくとも１つの例示の実施形態による、或る装置の別個の装置の上への布置を示す図である。
【図４】図４Ａ〜４Ｃは、少なくとも１つの例示の実施形態による、表示域を示す図である。
【図５Ａ】少なくとも１つの例示の実施形態による、表示域を示す図である。
【図５Ｂ】少なくとも１つの例示の実施形態による、表示域を示す図である。
【図５Ｃ】少なくとも１つの例示の実施形態による、表示域を示す図である。
【図６Ａ】少なくとも１つの例示の実施形態による、装置の入力部を示す図である。
【図６Ｂ】少なくとも１つの例示の実施形態による、装置の入力部を示す図である。
【図６Ｃ】少なくとも１つの例示の実施形態による、装置の入力部を示す図である。
【図６Ｄ】少なくとも１つの例示の実施形態による、装置の入力部を示す図である。
【図６Ｅ】少なくとも１つの例示の実施形態による、装置の入力部を示す図である。
【図７】少なくとも１つの例示の実施形態による、装置の表示域の決定に関連するアクティビティを示すフロー図である。
【図８】少なくとも１つの例示の実施形態による、情報の表示の終結に関連するアクティビティを示すフロー図である。
【図９】少なくとも１つの例示の実施形態による、情報の表示に関連するアクティビティを示すフロー図である。
【図１０】少なくとも１つの例示の実施形態による、情報の表示の終結に関連するアクティビティを示すフロー図である。
【図１１】少なくとも１つの例示の実施形態による、動作命令の送信に関連するアクティビティを示すフロー図である。
【図１２】少なくとも１つの例示の実施形態による、別個装置からのデータの受信に関連するアクティビティを示すフロー図である。
【図１３】少なくとも１つの例示の実施形態による、表示域終了命令の送信に関連するアクティビティを示すフロー図である。
【図面の詳細な説明】
【００４２】
本発明の実施形態およびその潜在的利点は、図面の図１〜１３を参照することによって理解される。
【００４３】
以降に、添付の図面を参照しながらいくつかの実施形態をさらに十分に説明するものとし、図面にはいくつかの実施形態が示されるがこれが全てではない。多くの異なる形態で、本発明の様々な実施形態を具体化することが可能であり、本明細書で述べられた実施形態に限定されると解釈されるべきではなく、どちらかといえば、これらの実施形態は本開示が適用される法的要求事項を満たすために提示されるものである。全体を通して同じ参照記号は同じ要素を指す。本明細書で用いる用語「データ」、「コンテンツ」、「情報」、および類似の用語は、本発明の諸実施形態によって送信、受信、および／または格納が可能なデータを指すために互換的に使用され得る。しかして、かかるいかなる用語の使用も、本発明の諸実施形態の趣旨および範囲を限定すると解釈されるべきではない。
【００４４】
さらに、本明細書で用いる用語「回路」は、（ａ）ハードウェアだけの回路実装（例えば、アナログ回路および／またはデジタル回路での実装）、（ｂ）協働して本明細書に記載の１つ以上の機能を装置に実施させる、回路と、１つ以上のコンピュータ可読メモリに格納されたソフトウェアおよび／またはファームウェア命令を備えるコンピュータプログラム製品（群）との組み合わせ、および（ｃ）例えばマイクロプロセッサ（群）またはマイクロプロセッサ（群）の部分など、ソフトウェアまたはファームウェアが物理的に存在しないとしても、動作のために当該ソフトウェアまたはファームウェアを必要とする回路を言う。「回路」のこの定義は、一切の請求項を含め、本明細書中のこの用語の全ての使用に適用される。また、本明細書中での使用のさらなる例として、用語「回路」は、１つ以上のプロセッサおよび／またはその部分（群）、ならびに付随するソフトウェアおよび／またはファームウェアを備える実装も含む。別の例として、本明細書で用いられる用語「回路」は、例えば、携帯電話のためのベースバンド集積回路もしくはアプリケーションプロセッサ集積回路、または、サーバ、セルラーネットワーク装置、他のネットワーク装置、および／または他のコンピューティング装置中の類似の集積回路も含む。
【００４５】
本明細書で定義される、物理媒体（例えば、揮発性または不揮発性のメモリデバイス）を指す「非一時的コンピュータ可読媒体」は、電磁気信号を指す「一時的コンピュータ可読媒体」と区別することができる。
【００４６】
図１は、少なくとも１つの例示の実施形態による、電子装置１０などの装置を示すブロック図である。但し、当然のことながら、図示された、および以降で説明する電子装置は、本発明の実施形態によって益を得られるであろう電子装置の単なる例示であり、したがって本発明の範囲を限定すると解釈されるべきではない。電子装置１０が例示されて例証のため以降で説明することになるが、他の種類の電子装置も本発明の実施形態を容易に用いることが可能である。電子装置１０は、携帯情報端末（ＰＤＡ：ｐｅｒｓｏｎａｌ  ｄｉｇｉｔａｌ  ａｓｓｉｓｔａｎｔ）、ページャ、携帯型コンピュータ、デスクトップコンピュータ、テレビジョン、ゲーム装置、ラップトップコンピュータ、タブレットコンピュータ、メディアプレイヤ、カメラ、ビデオレコーダ、携帯電話、全地球測位システム（ＧＰＳ：ｇｌｏｂａｌ  ｐｏｓｉｔｉｏｎｉｎｇ  ｓｙｓｔｅｍ）装置、自動車、キオスク、電子テーブル、透視ディスプレイ、ウェアラブル装置、頭部装着型装置、頭部装着型ディスプレイ、および／または任意の他の種類の電子システムであってよい。さらに、少なくとも１つの例示の実施形態の装置は、電子装置全体である必要はなく、他の例示の実施形態では電子装置の部品または部品のグループであってもよい。例えば、本装置は、集積回路、集積回路のセット、および／または類似のものであってもよい。
【００４７】
さらに、諸装置は、それらが移動性を備えることを目的とするかどうかにかかわらず、本発明の実施形態を容易に用いることができる。この点に関し、本発明の実施形態が、携帯用途に関連させて説明されるかも知れないが、当然のことながら、本発明の諸実施形態は、移動通信業界内または移動通信業界外の両方で、様々な他の用途に関連させて活用することができる。例えば、本装置は、大画面テレビジョン、電子テーブル、キオスク、自動車、および／または類似のものなど、持ち運びできない装置の少なくとも部分とすることが可能である。
【００４８】
少なくとも１つの例示の実施形態において、電子装置１０は、プロセッサ１１およびメモリ１２を備える。プロセッサ１１は、任意の種類のプロセッサ、コントローラ、内蔵コントローラ、プロセッサコア、および／または類似のものであってよい。少なくとも１つの例示の実施形態において、プロセッサ１１は、コンピュータプログラムコードを用いて装置に１つ以上の処置を実行させる。メモリ１２は、データの一時的記憶のためのキャッシュ領域を含む揮発性ランダムアクセスメモリ（ＲＡＭ：Ｒａｎｄｏｍ  Ａｃｃｅｓｓ  Ｍｅｍｏｒｙ）などの揮発性メモリ、および／または、例えば、内蔵および／またはリムーバブルとすることが可能な不揮発性メモリなど他のメモリを備えることができる。不揮発性メモリは、ＥＥＰＲＯＭ、フラッシュメモリ、および／または類似のものを備えることが可能である。メモリ１２は、任意の数の情報およびデータを格納することができる。これらの情報およびデータは、本明細書に記載の機能など、電子装置１０の１つ以上の機能を実装するために電子装置１０によって用いることができる。少なくとも１つの例示の実施形態において、メモリ１２は、コンピュータプログラムコードを含み、該メモリとコンピュータプログラムコードとは、プロセッサと協働して、装置に本明細書に記載の１つ以上の処置を実行させるように構成される。
【００４９】
電子装置１０は通信デバイス１５をさらに備えることができる。少なくとも１つの例示の実施形態において、通信デバイス１５は、トランスミッタおよび／またはレシーバと連動する、アンテナ（または複数のアンテナ群）、有線コネクタ、および／または類似のものを備える。少なくとも１つの例示の実施形態において、プロセッサ１１は、トランスミッタに信号を供給し、および／またはレシーバから信号を受信する。これらの信号は、通信インターフェース規格によるシグナリング情報、ユーザのスピーチ、受信データ、ユーザ生成のデータ、および／または類似のものを備えることが可能である。通信デバイス１５は、１つ以上の無線インターフェース規格、通信プロトコル、変調形式、およびアクセス型を使って動作することができる。例を挙げれば、電子通信デバイス１５は、ＩＳ−１３６（時分割多重アクセス（ＴＤＭＡ：ｔｉｍｅ  ｄｉｖｉｓｉｏｎ  ｍｕｌｔｉｐｌｅ  ａｃｃｅｓｓ））、汎欧州デジタル移動電話方式（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＩＳ−９５（符号分割多重アクセス方式（ＣＤＭＡ：ｃｏｄｅ  ｄｉｖｉｓｉｏｎ  ｍｕｌｔｉｐｌｅ  ａｃｃｅｓｓ））などの第二世代（２Ｇ）ワイヤレス通信プロトコル、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ２０００、広帯域ＣＤＭＡ（ＷＣＤＭＡ：ｗｉｄｅｂａｎｄ  ＣＤＭＡ）および時分割同期ＣＤＭＡ（ＴＤ−ＳＣＤＭＡ：ｔｉｍｅ  ｄｉｖｉｓｉｏｎ−ｓｙｎｃｈｒｏｎｏｕｓ  ＣＤＭＡ）などの第三世代（３Ｇ）ワイヤレス通信プロトコル、および／または第四世代（４Ｇ）ワイヤレス通信プロトコル、８０２．１１などのワイヤレスネットワーキングプロトコル、ブルートゥースなどの短距離ワイヤレスプロトコル、および／または類似のものに従って動作することができる。通信デバイス１５は、イーサネット（登録商標）、デジタル加入者回線（ＤＳＬ：ｄｉｇｉｔａｌ  ｓｕｂｓｃｒｉｂｅｒ  ｌｉｎｅ）、非同期転送モード（ＡＴＭ：ａｓｙｎｃｈｒｏｎｏｕｓ  ｔｒａｎｓｆｅｒ  ｍｏｄｅ）および／または類似のものなどのワイヤーラインプロトコルによって動作することが可能である。
【００５０】
プロセッサ１１は、オーディオ、ビデオ、通信、ナビゲーション、ロジック機能、および／または類似のものを実装するため、ならびに、例えば本明細書に記載の機能の１つ以上を含め、本発明の実施形態を実装するために、回路などの手段を備えることができる。例えばプロセッサ１１は、例えば本明細書に記載の機能の１つ以上を含め、様々な機能を実施するため、デジタル信号プロセッサデバイス、マイクロプロセッサデバイス、様々なアナログ／デジタルコンバータ、デジタル／アナログコンバータ、処理回路、および他の支援回路などの手段を備えることが可能である。上記装置は、これらデバイスの間でそれぞれの機能に従い、電子装置１０の制御および信号処理機能を実行することができる。しかして、プロセッサ１１は、変調および送信の前に、メッセージおよびデータを符号化し、交互配置する機能を備えることが可能である。プロセッサ１１は、内部音声コーダをさらに備えるとよく、内部データモデムを備えるとよい。さらに、プロセッサ１１は、１つ以上のソフトウェアプログラムを動作させる機能を備えることが可能で、これらプログラムは、メモリに格納でき、とりわけ、プロセッサ１１に例えば本明細書に記載の機能の１つ以上を含む、少なくとも１つの実施形態を実装させることができる。例えば、プロセッサ１１は、従来のインターネットブラウザなどの接続プログラムを動作させることが可能である。接続プログラムは、電子装置１０が、例えば、伝送制御プロトコル（ＴＣＰ：Ｔｒａｎｓｍｉｓｓｉｏｎ  Ｃｏｎｔｒｏｌ  Ｐｒｏｔｏｃｏｌ）、インターネットプロトコル（ＩＰ：Ｉｎｔｅｒｎｅｔ  Ｐｒｏｔｏｃｏｌ）、ユーザデータグラムプロトコル（ＵＤＰ：Ｕｓｅｒ  Ｄａｔａｇｒａｍ  Ｐｒｏｔｏｃｏｌ）、インターネットメッセージアクセスプロトコル（ＩＭＡＰ：Ｉｎｔｅｒｎｅｔ  Ｍｅｓｓａｇｅ  Ａｃｃｅｓｓ  Ｐｒｏｔｏｃｏｌ）、ポストオフィスプロトコル（ＰＯＰ：Ｐｏｓｔ  Ｏｆｆｉｃｅ  Ｐｒｏｔｏｃｏｌ）、簡易メール転送プロトコル（ＳＭＴＰ：Ｓｉｍｐｌｅ  Ｍａｉｌ  Ｔｒａｎｓｆｅｒ  Ｐｒｏｔｏｃｏｌ）、ワイヤレスアプリケーションプロトコル（ＷＡＰ：Ｗｉｒｅｌｅｓｓ  Ａｐｐｌｉｃａｔｉｏｎ  Ｐｒｏｔｏｃｏｌ）、ハイパーテキスト転送プロトコル（ＨＴＴＰ：Ｈｙｐｅｒｔｅｘｔ  Ｔｒａｎｓｆｅｒ  Ｐｒｏｔｏｃｏｌ）、および／または類似のプロトコルによって、ロケーションベースのコンテンツ、および／または他のウェブページコンテンツなどのインターネットコンテンツを送信および受信することを可能にできる。
【００５１】
電子装置１０は、出力を提供しおよび／または入力を受信するためのユーザインターフェースを備え得る。電子装置１０は出力デバイス１４も備え得る。出力デバイス１４は、リンガ、イヤホーン、スピーカ、および／または類似のものなどの音声出力デバイスを備え得る。出力デバイス１４は、振動変換器、電子変形可能表面、電子変形構造体、および／または類似のものなどの触覚出力デバイスも備え得る。出力デバイス１４は、ディスプレイ、光源、および／または類似のものなどの視覚出力デバイスを備え得る。少なくとも１つの例示の実施形態において、本装置は情報の表示を生成し、該表示の生成は、装置に備わったディスプレイ上に該情報を表示すること、情報を別個装置に送信すること、および／または類似のことを備え得る。例えば、本装置は、情報を、別のディスプレイ、コンピュータ、ラップトップ、携帯装置、および／または類似のものに送信することが可能である。例えば、本装置は、情報を表示するクライアント装置に情報を送信することによって、該情報を表示させるサーバであってもよい。このように、情報の表示の生成は、情報を備えた１つ以上のメッセージを別個装置に送信すること、情報を別個装置にストリーミングすること、および／または類似のことを備え得る。本電子装置は、入力デバイス１３を備えることができる。入力デバイス１３は、光センサ、近接センサ、マイクロホン、タッチセンサ、力センサ、ボタン、キーパッド、動きセンサ、磁界センサ、カメラ、および／または類似のものを備え得る。タッチセンサとディスプレイとは、タッチディスプレイとして纏めることができる。タッチディスプレイを備える実施形態において、タッチディスプレイは、単一の接触点、複数の接触点、および／または類似のものから入力を受信するよう構成することが可能である。かかる実施形態において、タッチディスプレイおよび／またはプロセッサは、位置、動き、スピード、接触面積、および／または類似の事項に少なくとも部分的に基づいて入力を判断することができる。少なくとも１つの例示の実施形態において、本装置は入力の指示を受信する。本装置は、この指示を、センサ、ドライバ、別個装置、および／または類似のものから受信することができる。入力を示す情報は、入力を示す情報、入力の特徴を示す情報、入力の出現を示す情報、および／または類似の事項を伝える情報を備え得る。
【００５２】
電子装置１０は、抵抗、静電容量、赤外線、歪みゲージ、表面波、光学的画像、分散信号技術、音響パルス認識、または他の技法のいずれかによるタッチ認識を可能にし、次いで、そのタッチに関連付けられた場所および他のパラメータを示す信号をもたらすように構成されたものを含め、各種のタッチディスプレイの任意のものを含むことが可能である。さらに、このタッチディスプレイは、選択オブジェクト（例えば、指、スタイラス、ペン、鉛筆、または他のポインティングデバイス）とタッチディスプレイとの間の実際の物理的接触として定義することが可能なタッチイベントの形で、入力の指示を受信するように構成することができる。これに換えて、タッチイベントを、タッチディスプレイへの物理的接触は行わないが、選択オブジェクトをタッチディスプレイに近接させる、表示された対象の上にとどめる、または対象から所定の距離内に接近させることとして定義してもよい。しかして、タッチ入力は、実際の物理的接触を伴うタッチイベント、および選択オブジェクトのタッチディスプレイへの近接効果など、物理的接触は伴わないがタッチディスプレイによって別途に検出されるタッチイベントを含む、タッチディスプレイによって検出される任意の入力を備えることが可能である。タッチディスプレイに、タッチ入力に関連してタッチスクリーンに加えられた力に関連付けられた情報を受信する能力を持たせてもよい。例えば、タッチスクリーンが、大きい圧力のタッチ入力と軽い圧力のタッチ入力との間を区別することもできよう。少なくとも１つの例示の実施形態において、ディスプレイは、二次元情報、三次元情報、および／または類似の事項を表示することができる。
【００５３】
キーパッドを含む実施形態において、キーパッドは、電子装置１０を動作させるための数字（例えば、０〜９）キー、記号キー（例えば、＃、＊）、アルファベットキー、および／または類似のキーを備えることができる。例えば、キーパッドは、伝統的なＱＷＥＲＴＹキーパッド配置を備えてもよい。また、このキーパッドは、関連する機能を有する各種のソフトキーを備えることもできる。これに加えてまたは換えて、電子装置１０は、ジョイステックなどのインターフェースデバイス、または他のユーザ入力インターフェースを備えてもよい。
【００５４】
入力デバイス１３は、メディア取り込み素子を備えることができる。このメディア取り込み素子は、保存、表示、または送信のため、画像、ビデオ、および／またはオーディオを取り込むための任意の手段であってよい。例えば、メディア取り込み素子がカメラモジュールである少なくとも１つの例示の実施形態において、カメラモジュールは、取り込まれた画像からデジタル画像ファイルを形成可能なデジタルカメラを備えることができる。しかして、カメラモジュールは、レンズまたは他の光学部品（群）などのハードウェア、および／または取り込まれた画像からデジタル画像ファイル生成するために必要なソフトウェアを備えることが可能である。上記に換えて、電子装置１０のメモリデバイスが、プロセッサ１１によって実行するための命令を、取り込まれた画像からデジタル画像ファイルを生成するためのソフトウェアの形で格納し、カメラモジュールは画像を見るためのハードウェアを備えるだけでもよい。少なくとも１つの例示の実施形態において、カメラモジュールは、画像データの処理でプロセッサ１１を助力するコプロセッサ、ならびに画像データを圧縮および／または解凍するためのエンコーダおよび／またはデコーダなどの処理素子をさらに備えることが可能である。このエンコーダおよび／またはデコーダは、例えば、ジョイントフォトグラフィックエキスパートグループ（ＪＰＥＧ：Ｊｏｉｎｔ  Ｐｈｏｔｏｇｒａｐｈｉｃ  Ｅｘｐｅｒｔｓ  Ｇｒｏｕｐ）規格フォーマットなど、標準的なフォーマットに従って、符号化および／または復号することができる。
【００５５】
図２は、少なくとも１つの例示の実施形態による透視ディスプレイを示す図である。図２の例は、単なる例示であって、特許請求の範囲を限定するものではない。例えば、透視ディスプレイの構成は様々であり得、ユーザと透視ディスプレイとの間の関係も様々であり得、透視ディスプレイの形状も様々であり得、透視ディスプレイの不透明度も様々であり得、および／またはこれに類する多様性があり得る。
【００５６】
近年、電子装置はますます普及し行き渡っている。ユーザは、かかる装置を様々な目的のため頻繁に利用する。例えば、ユーザは、装置を使って、その装置のディスプレイ上に表示される情報を見ること、装置のディスプレイ上でユーザの周囲に関連する情報を把握すること、および／または類似のことができる。多くの環境において、ユーザは、負担のかからない、邪魔にならない、目立たない、および／または同様な仕方で、装置に関連付けられた情報を見ることを欲することがある。かかる環境では、ディスプレイが透視ディスプレイであることが望まれることがある。少なくとも１つの例示の実施形態において、透視ディスプレイは、ユーザに情報を提示するディスプレイであるが、それを透して、ユーザから見てディスプレイの反対側にある被視体を見ることを可能にする。例えば、ディスプレイの反対側の被視体を透視ディスプレイを透して感知することができてもよい。透視ディスプレイは、携帯電話、タブレットコンピュータ、窓、フロントガラス、バイザー、眼鏡、頭部装着ディスプレイ、および／または類似のものに備えることが可能である。
【００５７】
図２は、少なくとも１つの例示の実施形態による透視ディスプレイ２０２を示す図である。少なくとも１つの例示の実施形態において、情報が透視ディスプレイを透して見える１つ以上の被視体に対応するように、透視ディスプレイ上に該情報を表示することは、拡張現実と言われる。図２の例において、ユーザ２０１は、透視ディスプレイ２０２を透して被視体２０５および２０６を感知することができる。少なくとも１つの例示の実施形態において、透視ディスプレイは、ユーザに対し情報を表示することが可能である。例えば、ディスプレイ２０２は、情報２０３および情報２０４を表示することができる。情報２０３および情報２０４は、これら情報が、被視体２０５など、透視ディスプレイ２０２を透して見える１つ以上の被視体に対応するようにディスプレイ２０２上に位置付けることができる。例えば、情報２０４は、情報２０４がユーザ２０１と被視体２０６との間の視界のラインに合うように、ディスプレイ２０２上の位置に表示することができる。例えば、ユーザ２０１は、ディスプレイ２０２を透したユーザの視野の中で、情報２０４を、被視体２０６とオーバーラップさせ、部分的に被視体２０６に合致させ、および／または類似のようにして感知することが可能である。かかる例において、情報２０３は、被視体２０５に関連付けられ、これを識別し、および／または類似のことを行うことができる。例えば、情報２０３が被視体２０５の身元を示してもよい。少なくとも１つの例示の実施形態において、ディスプレイ２０２は、車両、建物、および／または類似のものに備えられた窓であってもよい。少なくとも１つの例示の実施形態において、ユーザの視野は、ユーザによって感知可能な空間領域である。かかる例において、ユーザの視野は、透視ディスプレイを透したユーザの視野に合致し得る。例えば、ディスプレイを透したユーザの視野は、透視ディスプレイを透して見える１つ以上の被視体を包含することが可能である。例えば、被視体２０５および被視体２０６は、透視ディスプレイ２０２を透したユーザ２０１の視野内にあり得る。
【００５８】
図３Ａ〜３Ｃは、少なくとも１つの例示の実施形態による、或る装置の別個の装置の上への布置を示す図である。図３Ａ〜３Ｃの例は、単なる例示であって、特許請求の範囲を限定するものではない。例えば、装置の数は様々であり得、装置のサイズも様々であり得、装置の種類も様々であり得、および／またはこれに類する多様性があり得る。
【００５９】
多くの場合、装置と別個装置との間のやり取りのために、別個装置の上に本装置を置くのが望ましい。例えば、ユーザは、装置の充電、本装置の格納、本装置と別個装置との間でのデータの転送、および／または類似の事項に関する目的のため、別個装置の上に本装置を置くであろう。例えば、１つ以上の動作は、本装置の別個装置への近接に少なくとも部分的に基づかせることができる。かかる例において、別個装置上に本装置を置くことによって、本装置、別個装置、および／または類似のものに関連する１つ以上の動作を起動することができる。ある状況下において、別個装置はディスプレイを備えることが可能である。かかる状況において、別個装置上に本装置を置くと、別個装置に備えられたディスプレイを少なくとも部分的に遮ることになる。しかして、装置が別個装置の上に置かれたとき、本装置のユーザが、別個装置ディスプレイ上に表示された情報を見ることができるように本装置を構成することが望ましいことがある。例えば、装置が透視ディスプレイを備え、別個装置が別個装置ディスプレイを備えているとき、ユーザは、透視ディスプレイを透して別個装置ディスプレイを見ることを欲することになろう。このような状況において、別個装置上に本装置を置くことは、装置のユーザによるかかる見取りを容易にしてもよい。別個装置上に本装置を置くとは、本装置が別個装置に近接するように本装置を位置付けることを言う。別個装置上に本装置を置くことは、本装置と別個装置とが物理的に接触することを必要条件としない。少なくとも１つの例示の実施形態において、装置は、本装置と別個装置とが位置合わせされるように配列されて別個装置の上に置かれる。少なくとも１つの例示の実施形態において、別個装置ディスプレイ上に表示される情報の少なくとも一部が透視ディスプレイを透して見えれば、装置と別個装置とは位置合わせされている。ある状況下において、装置は、本装置の透視ディスプレイが別個装置の別個装置ディスプレイと同じ方向に面するように、別個装置の上に置けばよい。例えば、別個装置ディスプレイが透視ディスプレイでなければ、透視ディスプレイが別個装置ディスプレイの可視の領域の手前にあれば、別個装置ディスプレイの位置が合っていることになろう。また一方、ある状況下において、別個装置ディスプレイが透視ディスプレイのこともある。このような状況下では、両ディスプレイが背中合わせに配置されたとき両ディスプレイが位置合わせされたことになる。少なくともいくつかの状況において、透視ディスプレイと別個装置ディスプレイとを実質的に位置合わせすることが可能である。実質的な位置合わせとは、装置のユーザが気付けないような、完全な位置整合からのなんらかの逸脱を言う。完全な位置整合とは、透視ディスプレイの可視領域と別個装置ディスプレイの可視領域とが平行な平面にあり、別個装置ディスプレイ上に表示された情報の少なくとも一部が透視ディスプレイを透して見えるような、透視ディスプレイと別個装置ディスプレイとの間の位置付けを言う。例えば、透視ディスプレイの可視領域と別個装置ディスプレイの可視領域とは、実質的に平行な平面になるようにすることができる。かかる例において、これらの平面が、本装置および／または別個装置の構成上許容され、本装置および／または別個装置の設計上許容され、および／または類似事項で許容される、製造許容差などの或る許容差内で平行であれば、両可視領域は実質的に平行な平面にあると言えよう。実質的な位置整合は、透視ディスプレイと別個装置ディスプレイとの完全なオーバーラップを必要としない。例えば、透視ディスプレイは、別個装置ディスプレイに部分的にだけオーバーラップしていてもよく、本装置が別個装置と異なる方向に位置合わせなどされていてもよい。
【００６０】
図３Ａの例は、装置３１０を示す。装置３１０は透視ディスプレイを備える。装置３１０は別個装置３２０の上に置かれている。別個装置３２０は別個装置ディスプレイを備える。装置３２０の別個装置ディスプレイは、図３Ａの例では透視ディスプレイであるが、但し、別個装置ディスプレイは任意の型のディスプレイであってよい。別個装置上への装置の布置は、図３Ａの例の方向付けには限定されない。例えば、装置３１０および／または装置３２０は、装置３１０が３２０の上に置かれてさえいれば、縦方向、横方向、および／または任意の他の方向に位置付けることができる。別の例において、装置３１０は、別個装置３２０との位置合わせを保ちながら、装置３１０を図３Ａに示された方向から９０度回転させて配置することが可能である。図３Ａの例において、装置３１０は、別個装置３２０と実質的に位置合わせされている。
【００６１】
少なくともある状況下において、複数の装置を相互の上に配置することが望まれることがある。例えば、或る装置と別個の装置とがそれぞれ透視ディスプレイを備えている場合、ユーザが、これら透視ディスプレイの各々上の情報を見て、且つ、ディスプレイを備えたもう１つの別個装置上の情報を見たいと望むことがある。このような状況において、本装置の別個装置上への布置、および該別個装置の他の別個装置上への布置によって、本装置のユーザのかかる見取りを容易化することができる。
【００６２】
図３Ｂの例は、前に図３Ａで説明したような、装置３１０および別個装置３２０を示す。装置３１０が別個装置３２０の上に置かれる。別個装置３２０が別個装置３３０の上に置かれる。他の別個装置３３０は別個装置ディスプレイを備えている。図３Ｂの例において、装置３１０は別個装置３２０と実質的に位置合わせされ、且つ別個装置３２０は他の別個装置３３０と実質的に位置合わせされる。
【００６３】
少なくともある状況下において、別個装置ディスプレイの大きさは、透視ディスプレイの大きさに実質的に等しい。実質的に等しい大きさとは、装置のユーザが気付けないような、正確に同一の大きさからのなんらかの逸脱を言う。例えば、装置と別個装置とは、類似の種類の装置とすることができる。例として、装置および別個装置は、同一モデルの携帯電話、同様に構成されおよび／または寸法取りされたタブレットコンピュータ、および／または類似のものであってよい。少なくともある状況下において、装置と別個装置とは、異なる種類の装置とすることもできる。例えば、本装置が携帯電話であり、別個装置がタブレットコンピュータであってもよい。別の例において、本装置および異なる装置は両方とも携帯電話であるが、相異なるサイズおよび／または形状であってよい。このような状況において、別個装置ディスプレイは、透視ディスプレイとは実質的に異なる大きさを有し得る。実質的に異なる大きさとは、装置のユーザが気付くことのできるかもしれない、正確に同一の大きさからの何らかの逸脱を言う。このような状況において、それでも本装置を別個装置の上に置くことは可能である。
【００６４】
図３Ｃの例は、前に説明された装置３１０を示す。装置３１０は別個装置３４０の上に置かれる。別個装置３４０は別個装置ディスプレイを備える。図３Ｃでは、装置３１０が別個装置３４０とは異なるサイズの装置であることが分かる。装置３１０と別個装置３４０とは、実質的に位置合わせされている。図３Ｃの例では、装置３１０が、装置３４０に完全にはオーバーラップしていないのが分かる。図３Ｃの例において、装置３１０の透視ディスプレイは、別個装置３４０の別個装置ディスプレイとは実質的に異なる大きさを有するのが分かる。
【００６５】
少なくともある状況下において、透視ディスプレイを備える装置が、該装置が別個装置ディスプレイを備える別個装置の上に置かれたのを判定することが望ましいことがある。例えば、本装置は、本装置が別個装置の上に置かれたと判定したならば、透視ディスプレイ上に表示されている情報を、該情報が別個装置ディスプレイ上に表示された別個の情報を覆い隠さないように調整することが可能である。少なくとも１つの例示の実施形態において、本装置が別個装置の上に置かれたことの判定は、透視ディスプレイが別個装置の少なくとも部分に位置合わせされるように、本装置が別個装置の上に置かれたことの判定を備える。例えば、本装置は、別個装置ディスプレイ上に表示されている情報が透視ディスプレイを透して見えることの判定に少なくとも部分的に基づいて、本装置が別個装置の上に置かれたことを判定することができる。かかる例において、本装置は、透視ディスプレイが別個装置ディスプレイの少なくとも部分に実質的に位置合わせされていることの判定に少なくとも部分的に基づいて、本装置が別個装置の上に置かれたことの判定をすればよい。少なくとも１つの例示の実施形態において、本装置は、１つ以上の加速度計、ブルートゥース通信、近距離通信、１つ以上の位置センサ、１つ以上のイメージセンサ、１つ以上の光センサ、１つ以上の近接センサ、および／または類似のものを使って、本装置が別個装置の上に置かれたことの判定をすることも可能である。
【００６６】
少なくともある状況下においては、本装置が、本装置がその上に置かれた別個装置の数を判定することが望ましいことがある。例えば、本装置は、透視ディスプレイ上に表示される情報の表示を、本装置が３つの装置の上に置かれた環境においては、本装置が２つの装置、単一の装置の上に置かれた環境などにおける表示とは異なる仕方に変えることが可能である。図３Ａの例では、装置３１０は、装置３１０が単一の別個装置の上に置かれていると判定することができよう。図３Ｂの例では、装置３１０は、装置３１０が２つの別個装置の上に置かれていると判定することができる。
【００６７】
少なくともある状況下においては、本装置が、該装置がもはや別個装置の上に置かれていないのを判定することが望ましい。例えば、本装置がもはや別個装置の上に置かれていないときは、本装置が、透視ディスプレイを透した情報の見取りを覆い隠すような仕方で、透視ディスプレイ上に情報を表示できるようにすることが可能である。少なくとも１つの例示の実施形態において、本装置は、本装置がもはや別個装置の上に置かれていないこと判定する。
【００６８】
図４Ａ〜４Ｃは、少なくとも１つの例示の実施形態による、表示域を示す図である。図４Ａ〜４Ｃの例は、単なる例示であって、特許請求の範囲を限定するものではない。例えば、表示域の数は様々であり得、表示域の場所も様々であり得、表示域のサイズも様々であり得、および／またはこれに類する多様性があり得る。
【００６９】
透視ディスプレイを備える装置が、該装置は別個装置ディスプレイを備える別個装置の上に置かれたと判定したとき、透視ディスプレイの本装置表示域を定めるのが望ましい。同様に、本装置表示域とは区別された、透視ディスプレイの別個装置表示域を定めるのが望ましかろう。装置表示域は、本装置とのやり取りのために割り当てられた、透視ディスプレイの領域を指すことができる。別個装置表示域は、本装置を介しての別個装置とのやり取りのために割り当てられた、透視ディスプレイの領域を指すことができる。例えば、本装置は、透視ディスプレイ上に表示される情報を、その情報が別個装置ディスプレイ上に表示される別個の情報を覆い隠さないように調整することができる。これは、本装置領域内に表示される透視ディスプレイ上の情報の表示を制限し、および／または別個装置表示域内の透視ディスプレイ上の情報の表示を除外することによって達成が可能である。少なくとも１つの例示の実施形態において、透視ディスプレイの装置表示域の決定は、本装置が別個装置の上に置かれたとの判定に少なくとも部分的に基づいている。少なくとも１つの例示の実施形態において、透視ディスプレイの別個装置表示域の決定は、透視ディスプレイの装置表示域の決定に少なくとも部分的に基づいている。少なくとも１つの例示の実施形態において、別個装置表示域と、本装置表示域とはオーバーラップできない。例えば、別個装置表示域は、本装置表示域とは区別された領域とすることができる。
【００７０】
ある状況下においては、透視ディスプレイが、別個装置表示域内に情報を表示中であるかどうかを判定するのが望ましい。情報が、別個装置表示域の範囲として境界された位置内にあれば、その情報は別個装置表示域内に表示されている。例えば、情報が、本装置の別個装置表示域内に表示されていれば、その情報は、透視ディスプレイの向こうの他の情報を覆い隠すことになろう。例えば、その情報は、それがなければ別個装置表示域を介して見られたであろう他の情報を覆い隠すことになろう。例えば、該他の情報は、別個装置表示域を透しての見取りに対応するように、別個装置ディスプレイ上に表示された情報であるかもしれない。かかる状況において、別個装置ディスプレイ上に表示されている他の情報を覆い隠すような仕方で別個装置表示域内に情報を表示するのを、回避するのが望ましいであろう。このような状況において、別個装置表示域内に情報が在るとの判定に少なくとも部分的に基づいて、別個装置表示域中のその情報の表示を終結するのが望ましい。かくして、透視ディスプレイの領域を透して見える情報がもはや覆い隠されることがないようにすることができる。ある状況下においては、本装置から別個装置への表示域命令の送信が望ましいこともある。この表示域命令は、例えば、別個装置に、本装置の別個装置表示域を伝えることができる。表示域命令は、装置、別個装置、および／または類似のものによって情報がどのように表示されるべきかを伝える命令を指すことができる。例えば、装置は、別個装置に、別個装置表示域の位置、大きさ、および／または類似の事項を伝える表示域命令を送信することができる。かかる例において、表示域命令は、別個装置に、透視ディスプレイ上に表示されている情報によって当該情報が覆い隠される恐れがあるような当該情報の表示を回避するように指示することが可能である。この指示は、メッセージ、コマンド、および／または類似のものとすればよい。このように、別個装置は、情報の表示を、透視ディスプレイの別個装置表示域を透して見ることのできる、別個装置ディスプレイの領域に限定することが可能であり、別個装置は、別個装置表示域を透して見ることのできない、別個装置ディスプレイの領域中への情報の表示を回避することなどができよう。少なくとも１つの例示の実施形態において、表示域命令は、情報が別個装置表示域に位置が合うように該情報を表示することを別個装置に指示するように構成される。少なくとも１つの例示の実施形態において、表示域命令は、別個装置表示域の位置、および別個装置表示域の大きさを指示する。少なくとも１つの例示の実施形態において、別個装置ディスプレイの大きさは、透視ディスプレイの大きさと実質的に等しい。少なくとも１つの例示の実施形態において、表示域命令は、本装置表示域と位置の合った情報の表示を終結することを別個装置に指示するように構成される。本装置表示域と位置の合った情報は、情報が本装置表示域内に表示されると覆い隠される可能性のある、別個装置ディスプレイ上に表示される情報を指すことができる。
【００７１】
図４Ａは、別個装置４００を示す。装置４００は、別個装置ディスプレイを備える。図４Ａの例において、装置４００の別個装置ディスプレイは、別個装置ディスプレイの情報要素４０２、４０４、４０６、４０８、４１０、４１２、４１４、４１６、４１８、４２０、４２２、および４２４を表示している。図４Ｂは、装置４３０を示す。装置４３０は、透視ディスプレイを備える。図４Ｂの例において、装置４３０の透視ディスプレイは、透視ディスプレイの情報要素４３２、４３４、４３６、４３８、４４０、４４２、４４４、４４６、４４８、４５０、４５２、および４５４を表示している。装置４３０と別個装置４００とは類似のサイズおよび形状で、別個装置ディスプレイの大きさは、透視ディスプレイの大きさと実質的に等しい。
【００７２】
図４Ｃは、図３Ａ中の別個装置３２０上への装置３１０の布置と類似の、別個装置４００の上に置かれた装置４３０を示す。図４Ｃの例において、装置４３０は、透視ディスプレイの装置表示域中に、透視ディスプレイの情報要素４４４、４４６、４４８、４５０、４５２、および４５４を表示している。図４Ｃの例では、装置４００は、別個装置ディスプレイの情報要素４０２、４０４、４０６、４０８、４１０、および４１２を表示しており、これらは、装置４３０の透視ディスプレイの別個装置表示域を透して見えている。図４Ｃの例において、装置４３０は、透視ディスプレイの情報要素４３２、４３４、４３６、４３８、４４０、および４４２の表示を終結している。図４Ｃの例では、別個装置４００は、別個装置ディスプレイの情報要素４１４、４１６、４１８、４２０、４２２、および４２４の表示を終結している。このように、透視ディスプレイの情報要素４３２、４３４、４３６、４３８、４４０、および４４２は、別個装置ディスプレイの情報要素４０２、４０４、４０６、４０８、４１０、および４１２の見取りを覆い隠すことはできず、別個装置ディスプレイの情報要素４１４、４１６、４１８、４２０、４２２、および４２４は、透視ディスプレイの情報要素４４４、４４６、４４８、４５０、４５２、および４５４によって覆い隠されることはないとよい。図４Ｃの例で分かるように、この本装置表示域とこの別個装置表示域とは等サイズである。
【００７３】
ある状況下において、別個装置表示域に対応する位置に表示される情報の表示を終結することは、情報を別個装置表示域から本装置表示域に配置変更することを備え得る。例えば、本装置は、以前に別個装置表示域内に表示されていた情報が本装置表示域に現れるように、透視ディスプレイ上に表示された情報を再配置し、透視ディスプレイ上に表示された情報を位置変更し、および／または類似のことをすることができる。例えば、図４Ｂの装置４３０は、透視ディスプレイの情報要素４３２、４３４、４３６、４３８、４４０、および４４２が、透視ディスプレイの情報要素４４４、４４６、４４８、４５０、４５２、および４５４が表示されていた領域を占めるように、これらの透視ディスプレイの情報要素を異なる位置に変更することが可能である。ある状況下において、別個装置表示域中の情報の表示を終結することは、関連するコンテンツの決定を備えてもよい。関連するコンテンツは、透視ディスプレイ上に表示されるコンテンツに関連する、別個装置ディスプレイ上に表示されるコンテンツを指すことができる。例えば、関連コンテンツは、類似の主題、共通のアプリケーション、および／または類似のものに関連付けられたコンテンツであってよい。例えば、別個装置ディスプレイ上に表示され、別個装置表示域を透して見える情報の一部が、透視ディスプレイ上に表示される情報に関連することがある。このような状況において、本装置は、関連する情報を別個装置表示域に移し、関連のない情報の表示を終結すればよい。次いで、本装置表示域上に表示されるコンテンツの順序を、本装置表示域内に表示された最も関連ある情報が別個装置表示域の近くに表示されるように、所定の仕方で再順序付けすることができる。ある状況下において、本装置表示域と別個装置表示域とは等サイズにするとよい。例えば、本装置と別個装置とが類似の型である場合、本装置表示域と別個装置表示域とに類似のサイズを割り当てることが望ましいこともある。ある状況下においては、本装置表示域と別個装置表示域とをコンテンツに基づくサイズにするのが望ましいこともある。例えば、別個装置ディスプレイが透視ディスプレイよりも大量の情報を表示する状況において、別個装置ディスプレイ上のより多くのコンテンツが透視ディスプレイを透して見られるように、別個装置表示域を本装置表示域よりも大きくして別個装置表示域を寸法取りするのが望ましかろう。あるいは、例えば、別個装置ディスプレイが透視ディスプレイよりも少量の情報を表示する状況において、透視ディスプレイ上でより多くのコンテンツが見られるように、別個装置表示域を本装置表示域よりも小さくして別個装置表示域を寸法取りするのが望ましいこともある。
【００７４】
前に説明したように、装置は、該装置がもはや別個装置の上に置かれていないと判定することができる。このような状況において、本装置から別個装置に表示域終結命令を送信するのが望ましいこともある。表示域終結命令は、本装置による別個装置表示域の終結を伝えるメッセージとすればよい。例えば、この表示域終結命令は、別個装置に、別個装置が本装置に関係なく別個装置ディスプレイ上の情報を表示してよいことを連絡することができる。例えば、別個装置４００は、図４Ａの例に示された設定に復帰することが可能である。少なくとも１つの例示の実施形態において、本装置は、本装置から別個装置に、別個装置表示域の終結を伝える表示域終結命令を送信する。このように、この送信は、本装置が別個装置の上に置かれているか否かの判定に少なくとも部分的に基づくことができる。ある状況下において、装置がもはや別個装置の上に置かれていなくなった後、別個装置表示域に対応する位置に情報を表示させることが望まれよう。例えば、本装置がもはや別個装置の上に置かれていないときに、透視ディスプレイは全画面モードに戻ることが可能である。例えば、装置４３０は、図４Ｂの例に示された設定に復帰することができる。別の例において、装置４３０は、別個装置表示域に対応する位置に新規の情報を表示してもよい。
【００７５】
図５Ａ〜５Ｃは、少なくとも１つの例示の実施形態による、表示域を示す図である。図５Ａ〜５Ｃの例は、単なる例示であって、特許請求の範囲を限定するものではない。例えば、装置の数は様々であり得、装置のサイズも様々であり得、装置の種類も様々であり得、および／またはこれに類する多様性があり得る。
【００７６】
図５Ａは、別個装置５００を示す。別個装置５００は、別個装置ディスプレイを備える。図のように、図５Ａの例では、装置５００の別個装置ディスプレイは、別個装置ディスプレイの情報要素５０２、５０４、５０６、５０８、５１０、５１２、５１４、５１６、５１８、５２０、５２２、および５２４を表示している。
【００７７】
前に説明したように、ある状況下において、別個装置ディスプレイは、透視ディスプレイとは実質的に異なる大きさを有し得る。このような状況において、別個装置に送信される表示域命令は、異なったパラメータ、追加のパラメータ、および／または類似のものを必要とすることがある。別個装置に送信するための適切な表示域命令を決めるために、本装置が、別個装置表示域の位置に実質的に位置が合う、別個装置ディスプレイ上の位置および別個装置表示域の大きさに実質的に合致する、別個装置ディスプレイ上の大きさを識別するのが望ましいこともある。
【００７８】
図５Ｂは別個装置５００を示す。図５Ｂの例において、別個装置５００は、別個装置表示域５６０および装置表示域５７０を被されている。装置は、別個装置５００に、別個装置表示域５６０および装置表示域５７０の、別個装置ディスプレイ上の位置および別個装置ディスプレイ上の大きさを指示する表示域命令を送信することができる。少なくとも１つの例示の実施形態において、本装置は、別個装置表示域の位置に実質的に合致する、別個装置ディスプレイ上の位置を識別する。少なくとも１つの例示の実施形態において、本装置は、別個装置表示域の大きさに実質的に合致する、別個装置ディスプレイ上の大きさを識別する。少なくとも１つの例示の実施形態において、表示域命令は、別個装置ディスプレイ上の位置および別個装置ディスプレイ上の大きさを指示する。例えば、別個装置５００に対する表示域命令は、別個装置５００上での、装置表示域５６０の位置および大きさを指示することができる。
【００７９】
前に説明したように、表示域命令は、別個装置に、情報が別個装置表示域に位置が合うように情報を表示することを指示し、および／または、別個装置に、本装置表示域に配列された情報の表示を終結するように指示するように構成されることができる。図５Ｃは、図３Ａ中の別個装置３４０の上への装置３１０の布置と類似の、別個装置５００の上に置かれた装置５３０を示す。装置５３０は透視ディスプレイを備える。装置５３０は別個装置５００よりも小さな寸法であることが見て取れる。図５Ｃの例において、装置５３０は、図５Ｂの装置表示域５７０と相互関連する透視ディスプレイの装置表示域中に、透視ディスプレイの情報要素５３２、５３４、５３６、５３８、５４０および５４２を表示している。図５Ｃの例では、別個装置５００は、別個装置ディスプレイの情報要素５０２、５０４、５０６、５０８、５１０、５１２、５１４、５１６、５１８、５２０、５２２、および５２４を表示している。別個装置ディスプレイの情報要素５１２、５１４、５１６、５２０、５２２、および５２４が、図５Ｂの別個装置表示域５６０に対応する、透視ディスプレイの別個装置表示域を透して見えている。
【００８０】
図６Ａ〜６Ｅは、少なくとも１つの例示の実施形態による、装置の入力部を示す図である。図６Ａ〜６Ｅの例は、単なる例示であって、特許請求の範囲を限定するものではない。例えば、入力の種類は様々であり得、入力過程も様々であり得、入力の位置も様々であり得、および／またはこれに類する多様性があり得る。
【００８１】
ある状況下において、本装置が、入力を示す情報を受信するのが望ましいことがある。例えば、本装置のユーザが本装置とのやり取りを欲することがあり、ユーザが本装置を介して別個装置とのやり取りを欲することがあり、および／または類似のことを欲することがある。しかして、本装置のユーザが、本装置に関連付けられた入力を介して、本装置、別個装置、および／または類似の装置とやり取りする所望を指示できるように、装置を構成することが望ましいこともある。例えば、ユーザが、本装置によって実行されるプログラムとやり取りすること、本装置に備えられたメモリ中に格納されたデータにアクセスすること、および／または類似のことを欲することがある。例えば、ユーザは、本装置が別個装置の上に置かれているときに、本装置を介して、別個装置上の画像編集ソフトウェアなどのアプリケーションとやり取りしたいと望むかもしれない。少なくとも１つの例示の実施形態において、本装置は、入力を示す情報を受信する。例えば、本装置は、別個装置上で利用できる可能性のある、動作、機能、および／または類似のものを選択するためのタッチ入力を示す情報を受信することが可能である。
【００８２】
ある状況下において、この入力が、別個装置表示域に対応する入力位置を有すると判定するのが望ましいことがある。例えば、別個装置ディスプレイは、別個装置表示域を透して見ることが可能な情報を表示することができる。かかる例において、ユーザが、本装置が別個装置の上に置かれている間に、別個装置ディスプレイ上に表示された情報とやり取りすることを望むことがある。しかして、ユーザは、透視ディスプレイの別個装置表示域に関連付けられた入力を介して、かかる所望を指示することができる。かかる例では、別個装置表示域に対応する入力位置によって、ユーザが別個装置とのやり取りを望んでいること、を指示することが可能である。この入力位置は、例えば、開始位置、終了位置、中間位置、および／または類似のものなど、識別可能な入力の位置を指すことができる。例えば、本装置は、ドラッグ入力を示す情報を受信することができる。ドラッグ入力は開始位置および終了位置を備える。開始位置は、ボタンが押された時点のカーソルの位置、タッチ入力の開始の位置、近接入力の開始の位置、および／または類似のものとすればよい。終了位置は、ボタンを放した時点のカーソルの位置、タッチ入力の終了の位置、近接入力の終了の位置、および／または類似のものとすればよい。ドラッグ入力は、タッチ入力、近接入力、カーソル入力、および／または類似のものとすればよい。入力位置は、別個装置表示域内の、該入力位置が受信されたときの別個装置表示域部に対応し得て、別個装置表示域および／または類似のものに含まれる。少なくとも１つの例示の実施形態において、本装置は、入力位置が別個装置表示域に対応することを判定する。
【００８３】
図６Ａは、図３Ａの例中の別個装置３２０上への装置３１０の布置と類似の、別個装置６００の上に置かれた装置６３０を示す。図６Ａの例において、装置６３０は、透視ディスプレイの装置表示域中に、透視ディスプレイの情報要素６４４、６４６、６４８、６５０、６５２、および６５４を表示している。図６Ａの例では、別個装置６００は、別個装置ディスプレイの情報要素６０２、６０４、６０６、６０８、６１０、および６１２を表示しており、それらが透視ディスプレイの別個装置表示域を透して見えている。図６Ａの例において、装置６３０は、別個装置表示域内の入力６６０を受信している。入力６６０は、タッチ入力として描かれてはいるが、入力６６０は任意の型の入力であってよい。例えば、入力６６０は、マウスクリック入力、音声入力、および／または類似のものとすることができる。入力６６０は、本装置とのやり取り、別個装置とのやり取り、複数の装置とのやり取り、および／または類似事項についてのユーザの所望を指示することができる。図６Ｂの例において、装置６３０は、透視ディスプレイの装置表示域中に、透視ディスプレイの情報要素６６２を表示している。図６Ｂの例において、透視ディスプレイの情報要素６６２が、図６Ａの透視ディスプレイの情報要素６４４、６４６、６４８、６５０、６５２、および６５４よりも大きいことが見て取れる。図６Ｃの例において、装置６３０は、本装置表示域内の入力６６４を受信している。入力６６４は、タッチ入力として描かれてはいるが、入力６６４は任意の種類の入力であってよい。例えば、入力６６４は、マウスクリック入力、音声入力、および／または類似のものとすることができる。入力６６４は、本装置とのやり取り、別個装置とのやり取り、複数の装置とのやり取り、および／または類似のことについてのユーザの所望を指示することができる。
【００８４】
ある状況下において、入力が別個装置表示域に対応する入力位置を有するとの判定に少なくとも部分的に基づいて、本装置から別個装置に動作命令を送信するのが望ましい。例えば、ユーザが、別個装置に或る動作を実行することを命令する、本装置に別個装置からのデータへの動作を実行することを命令する、および／または類似のことを望むことがある。少なくとも１つの例示の実施形態において、動作命令は、入力に対応する動作を実行することを別個装置に指示するように構成される。例えば、ユーザが所望する動作が移動であり得る。入力は、何を移動すべきか、およびどこに移動すべきかを示すことによって移動の起動に関連付けることができる。別の例において、入力を、オープン入力の起動に関連付けることができ、この入力では、別個装置に格納されたファイルが本装置上で開かれる。少なくとも１つの例示の実施形態において、動作命令は、入力の少なくとも１つの特徴を示す情報を備える。この入力の特徴は、入力の位置、入力の過程、入力の種類、および／または類似のものとすることができる。例えば、入力の過程は、タップ入力、ドラッグ入力、および／または類似のものを指示し得る。この入力は通過入力を指示してもよい。通過入力は、別個装置を制御することを意図され、別個装置に関連付けて定められた、本装置によって受信される入力、および／または類似のものを指すことができる。例えば、この入力は、該入力が本装置によって受信されたものであっても、別個装置へのタップ入力を開始することについてのユーザの所望を指示することが可能である。少なくとも１つの例示の実施形態において、この入力は選択入力である。選択入力は、ファイル、アプリケーション、コマンド、および／または類似のものの選択に関連付けられた入力を指すことができる。少なくとも１つの例示の実施形態において、動作命令は、入力位置における選択入力を示す情報を備える。例えば、図６Ｃの入力６６４を示す動作命令は、透視ディスプレイの情報要素６５４に関連付けられたプログラムを選択するユーザの所望を示す情報を備えることが可能である。該命令は、本装置に、図６Ｂ中の透視ディスプレイの情報要素６６２に関連付けられたアプリケーションなどのアプリケーションを開始させることができる。ある状況下において、割り当てられた表示域内にインターフェース要素を設定するのが望ましいことがある。例えば、ユーザが、或るアプリケーションを動作させており、そのアプリケーション内のさらなる詳細を知りたい望むことがある。このような状況において、本装置は、図６Ｂ中の透視ディスプレイの情報要素６６２と同様に、当該アプリケーションに関係する情報のスケールが増大し、割り当てられた表示域の全体を含む領域中に該情報が表示されるように、および／または類似のことがされるように、該情報の表示サイズに関連する１つ以上の寸法を増大することができる。ある状況下において、かかるスケールの増大は他の表示情報の終結を必要とすることもある。
【００８５】
ある状況下において、装置は、ドラッグ入力を示す情報を受信することが可能である。少なくとも１つの例示の実施形態において、本装置は、本装置表示域に対応する開始位置と別個装置表示域に対応する終了位置とを備えるドラッグ入力を受信する。例えば、本装置は、図６Ｄに関連して説明するのと同様なドラッグ入力を受信することができる。図６Ｄは、図３Ａ中の別個装置３２０上への装置３１０の布置と類似の、別個装置６００の上に置かれた装置６３０を示す。図６Ｄの例において、装置６３０は、透視ディスプレイの装置表示域中に、透視ディスプレイの情報要素６４４、６４６、６４８、６５０、６５２、および６５４を表示している。図６Ｄの例では、別個装置６００は、別個装置ディスプレイの情報要素６０２、６０４、６０６、６０８、６１０、および６１２を表示しており、それらが透視ディスプレイの別個装置表示域を透して見えている。図６Ｄの例において、装置６３０は、別個装置表示域内のドラッグ入力開始位置６７０と本装置表示域内のドラッグ入力終了位置６７２とを備えるドラッグ入力を受信している。ある状況下において、この開始位置はインターフェース要素に対応させることができる。例えば、図６Ｄの開始位置６７０は、別個装置ディスプレイの情報要素６０６に対応させることが可能である。
【００８６】
ある状況下において、ユーザが、透視ディスプレイ上や別個装置ディスプレイ上に表示された特定の情報、および／または類似のものとやり取りしたいと望むことがあろう。かかる状況において、ユーザは、その特定の情報を、ドラッグ入力などの入力を介して識別することができる。かかる状況で、本装置は、ドラッグ入力の開始位置に少なくとも部分的に基づいて、該特定の情報を識別することが可能である。少なくとも１つの例示の実施形態において、本装置は、開始位置に対応するインターフェース要素を識別する。このように、本装置は、インターフェース要素に関連付けられた情報を備えた動作命令を送信することができ、この動作命令の決定は、該インターフェース要素に関連付けられた情報に少なくとも部分的に基づく。少なくとも１つの例示の実施形態において、入力位置が別個装置表示域に対応することの判定は、終了位置が別個装置表示域に対応するとの判定を備える。少なくとも１つの例示の実施形態において、インターフェース要素は、本装置のメモリ中に格納されたデータに関連付けられ、動作命令は、別個装置に、該データの少なくとも一部をコピーするよう指示する。このデータは、ファイル、データベースのエントリ、メタデータ、および／または類似のものなど、本装置に格納された任意の種類のデータであってよい。例えば、インターフェース要素は本装置に格納されたファイルに関連付けることが可能で、動作命令は、別個装置に、本装置から受信したファイルのコピーを別個装置上に格納するよう指示することができる。別の例において、インターフェース要素は画像と関連付けることも可能で、動作命令は、別個装置に、その画像に修正を加えるよう指示すればよい。少なくとも１つの例示の実施形態において、動作命令はデータを備える。
【００８７】
前に説明したように、本装置は、ドラッグ入力を受信することができる。少なくとも１つの例示の実施形態において、本装置は、別個装置表示域に対応する開始位置と、本装置表示域に対応する終了位置とを備えるドラッグ入力を受信する。少なくとも１つの例示の実施形態において、本装置は、開始位置に関連付けられたデータを識別してそのデータを本装置に送信することを別個装置に指示するように構成された、動作命令を送信し、この動作命令の決定は、別個装置表示域に対応する開始位置に少なくとも部分的に基づく。少なくとも１つの例示の実施形態において、入力位置が別個装置表示域に対応することの判定は、開始位置が別個装置表示域に対応することの判定を備える。
【００８８】
図６Ｅは、図３Ａ中の別個装置３２０上への装置３１０の布置と類似の、別個装置６００の上に置かれた装置６３０を示す。図６Ｅの例において、装置６３０は、透視ディスプレイの装置表示域中に、透視ディスプレイの情報要素６４４、６４６、６４８、６５０、６５２、および６５４を表示している。図６Ｅの例では、別個装置６００は、別個装置ディスプレイの情報要素６０２、６０４、６０６、６０８、６１０、および６１２を表示しており、それらが透視ディスプレイの別個装置表示域を透して見えている。図６Ｅの例において、装置６３０は、本装置表示域内のドラッグ入力開始位置６８０と別個装置表示域内のドラッグ入力終了位置６８２とによるドラッグ入力を受信している。
【００８９】
少なくともある状況下において、本装置が別個装置からデータを受信することが望まれることがある。例えば、ユーザが、別個装置ディスプレイ上に表示されたインターフェース要素に関連付けられたプログラムを本装置上で起動したり、別個装置からファイルをコピーしたり、および／または類似のことを望むことがある。少なくとも１つの例示の実施形態において、本装置は別個装置からデータを受信する。少なくとも１つの例示の実施形態において、ドラッグ入力の終了位置は、インターフェース要素に対応し、該ドラッグ入力は、インターフェース要素に関連付けられた動作を、その動作がデータを用いるように、起動する。例えば、ユーザは、画像を本装置から、別個装置上の編集アプリケーションに関連付けられたインターフェース要素の上にドラッグすることができる。別個装置が画像を処理した後、別個装置は、変更が加えられた画像を本装置に返送すればよい。少なくとも１つの例示の実施形態において、本装置は、終了位置に対応するインターフェース要素を識別し、そのインターフェース要素に関連付けられた動作の起動は該インターフェース要素の識別に少なくとも部分的に基づく。少なくともある状況下において、本装置が当該データの格納を行うことが望まれることがある。例えば、本装置がもはや別個装置の上に置かれていないときにも本装置によるデータへのアクセスが可能なように、本装置が別個装置から受信した当該データを本装置上に格納することが望ましい。少なくとも１つの例示の実施形態において、本装置は当該データの格納を行う。例えば、本装置は、ファイルの格納、データベースのエントリのコピー、メタデータの送信、および／または類似のことを行うことができよう。
【００９０】
図７は、少なくとも１つの例示の実施形態による、装置表示域の決定に関連するアクティビティを示すフロー図である。少なくとも１つの例示の実施形態において、図７のアクティビティに対応する動作群のセットが在る。例えば図１の電子装置１０などの装置またはその一部は、この動作群のセットを用いることが可能である。本装置は、例えば図１のプロセッサ１１などを含め、かかる動作群の実行のための手段を備えることができる。或る例示の実施形態において、例えば図１の電子装置１０などの装置は、例えば図１のプロセッサ１１などのプロセッサと協働して該装置に図７の動作群のセットを実行させるように構成されたコンピュータコードを備えた、例えば図１のメモリ１２などのメモリを有することによって形態変更される。
【００９１】
ブロック７０２で、本装置は、本装置が別個装置の上に置かれたことを判定する。少なくとも１つの例示の実施形態において、本装置は透視ディスプレイを備える。この判定、本装置、別個装置、透視ディスプレイ、および別個装置ディスプレイは、図１、図２、図３Ａ〜３Ｃ、図４Ａ〜４Ｃ、および図５Ａ〜５Ｃに関連して説明したものと同様であってよい。
【００９２】
ブロック７０４で、本装置は、透視ディスプレイの装置表示域を定める。このように、本装置表示域の決定は、本装置が別個装置の上に置かれたことの判定に少なくとも部分的に基づくことができる。この決定および本装置表示域は、図４Ａ〜４Ｃ、図５Ａ〜５Ｃ、および図６Ａ〜６Ｅに関連して説明したものと同様であってよい。
【００９３】
ブロック７０６で、本装置は、本装置表示域とは区別された、透視ディスプレイの別個装置表示域を定める。このように、別個装置表示域の決定は、本装置が別個装置の上に置かれたことの判定に少なくとも部分的に基づくことができる。この決定および別個装置表示域は、図４Ａ〜４Ｃ、図５Ａ〜５Ｃ、および図６Ａ〜６Ｅに関連して説明したものと同様であってよい。
【００９４】
ブロック７０８で、本装置は、本装置から別個装置に、別個装置表示域を伝える表示域命令を送信する。このように、表示域命令の送信は、別個装置表示域の決定に少なくとも部分的に基づくことができる。この決定および表示域命令は、図４Ａ〜４Ｃ、および図５Ａ〜５Ｃに関連して説明したものと同様であってよい。
【００９５】
ブロック７１０で、本装置は入力を示す情報を受信する。この受信および入力は、図６Ａ〜６Ｅに関連して説明したものと同様であってよい。
【００９６】
ブロック７１２で、本装置は、該入力が別個装置表示域に対応する入力位置を有することを判定する。この判定および入力位置は、図６Ａ〜６Ｅに関連して説明したものと同様であってよい。
【００９７】
ブロック７１４で、本装置は、本装置から別個装置に動作命令を送信する。このように、動作命令の送信は、入力が別個装置表示域に対応する入力位置を有するとの判定に少なくとも部分的に基づくことができる。この送信および動作命令は、図６Ａ〜６Ｅに関連して説明したものと同様であってよい。
【００９８】
図８は、少なくとも１つの例示の実施形態による、情報の表示の終結に関連するアクティビティを示すフロー図である。少なくとも１つの例示の実施形態において、図８のアクティビティに対応する動作群のセットが在る。例えば図１の電子装置１０などの装置またはその一部は、この動作群のセットを用いることが可能である。本装置は、例えば図１のプロセッサ１１などを含め、かかる動作群の実行のための手段を備えることができる。或る例示の実施形態において、例えば図１の電子装置１０などの装置は、例えば図１のプロセッサ１１などのプロセッサと協働して該装置に図８の動作群のセットを実行させるように構成されたコンピュータコードを備えた、例えば図１のメモリ１２などのメモリを有することによって形態変更される。
【００９９】
前に説明したように、ある状況下においては、別個装置表示域内に表示された情報の表示を終結することが望ましい。
【０１００】
ブロック８０２で、本装置は、図７のブロック７０２に関連して説明したのと同様に、本装置が別個装置の上に置かれたことを判定する。少なくとも１つの例示の実施形態において、本装置は透視ディスプレイを備える。ブロック８０４で、本装置は、図７のブロック７０４に関連して説明したのと同様に、透視ディスプレイの装置表示域を定める。ブロック８０６で、本装置は、図７のブロック７０６に関連して説明したのと同様に、透視ディスプレイの別個装置表示域を定める。
【０１０１】
ブロック８０８で、本装置は、透視ディスプレイが、別個装置表示域内に情報を表示していることを判定する。この判定および情報は、図４Ａ〜４Ｃおよび図５Ａ〜５Ｃに関連して説明したものと同様であってよい。
【０１０２】
ブロック８１０で、本装置は、別個装置表示域中の情報の表示を終結する。このように、表示情報の終結は、別個装置表示域内に情報が在るとの判定に少なくとも部分的に基づくことができる。この終結は、図４Ａ〜４Ｃおよび図５Ａ〜５Ｃに関連して説明したものと同様であってよい。
【０１０３】
ブロック８１２で、本装置は、図７のブロック７０８に関連して説明したのと同様に、本装置から別個装置に、表示域命令を送信する。ブロック８１４で、本装置は、図７のブロック７１０に関連して説明したのと同様に、入力を示す情報を受信する。ブロック８１６で、本装置は、図７のブロック７１２に関連して説明したのと同様に、該入力が別個装置表示域に対応する入力位置を有することを判定する。ブロック８１８で、本装置は、図７のブロック７１４に関連して説明したのと同様に、本装置から別個装置に動作命令を送信する。
【０１０４】
図９は、少なくとも１つの例示の実施形態による、情報の表示に関連するアクティビティを示すフロー図である。少なくとも１つの例示の実施形態において、図９のアクティビティに対応する動作群のセットが在る。例えば図１の電子装置１０などの装置またはその一部は、この動作群のセットを用いることが可能である。本装置は、例えば図１のプロセッサ１１などを含め、かかる動作群の実行のための手段を備えることができる。或る例示の実施形態において、例えば図１の電子装置１０などの装置は、例えば図１のプロセッサ１１などのプロセッサと協働して該装置に図９の動作群のセットを実行させるように構成されたコンピュータコードを備えた、例えば図１のメモリ１２などのメモリを有することによって形態変更される。
【０１０５】
前に説明したように、ある状況においては、装置表示域内に情報を表示することが望ましい。
【０１０６】
ブロック９０２で、本装置は、図７のブロック７０２に関連して説明したのと同様に、本装置が別個装置の上に置かれたことを判定する。少なくとも１つの例示の実施形態において、本装置は透視ディスプレイを備える。ブロック９０４で、本装置は、図７のブロック７０４に関連して説明したのと同様に、透視ディスプレイの装置表示域を定める。ブロック９０６で、本装置は、図７のブロック７０６に関連して説明したのと同様に、透視ディスプレイの別個装置表示域を定める。
【０１０７】
ブロック９０８で、本装置は、別個装置表示域の位置と実質的に位置が合う、別個装置ディスプレイ上の位置を識別する。この識別、別個装置上の位置、および別個装置表示域の位置は、図３Ａ〜３Ｃ、図４Ａ〜４Ｃおよび図５Ａ〜５Ｃに関連して説明したものと同様であってよい。
【０１０８】
ブロック９１０で、本装置は、別個装置表示域の大きさと実質的に合致する、別個装置ディスプレイ上の大きさを識別する。この識別、別個装置上の大きさ、および別個装置表示域の大きさは、図３Ａ〜３Ｃ、図４Ａ〜４Ｃおよび図５Ａ〜５Ｃに関連して説明したものと同様であってよい。
【０１０９】
ブロック９１２で、本装置は、本装置から別個装置に表示域命令を送信する。少なくとも１つの例示の実施形態において、表示域命令は、別個装置ディスプレイ上の位置および別個装置ディスプレイ上の大きさを指示する。少なくとも１つの例示の実施形態において、表示域命令は、情報が別個装置表示域に位置が合うように当該情報を表示すること、を別個装置に指示するよう構成される。このように、表示域命令の送信は、別個装置上の位置の識別および別個装置上の大きさの識別に少なくとも部分的に基づくことができる。この送信および表示域命令は、図４Ａ〜４Ｃおよび図５Ａ〜５Ｃに関連して説明したものと同様であってよい。
【０１１０】
ブロック９１４で、本装置は、図７のブロック７１０に関連して説明したのと同様に、入力を示す情報を受信する。ブロック９１６で、本装置は、図７のブロック７１２に関連して説明したのと同様に、該入力が別個装置表示域に対応する入力位置を有することを判定する。ブロック９１８で、本装置は、図７のブロック７１４に関連して説明したのと同様に、本装置から別個装置に動作命令を送信する。
【０１１１】
図１０は、少なくとも１つの例示の実施形態による、情報の表示の終結に関連するアクティビティを示すフロー図である。少なくとも１つの例示の実施形態において、図１０のアクティビティに対応する動作群のセットが在る。例えば図１の電子装置１０などの装置またはその一部は、この動作群のセットを用いることが可能である。本装置は、例えば図１のプロセッサ１１などを含め、かかる動作群の実行のための手段を備えることができる。或る例示の実施形態において、例えば図１の電子装置１０などの装置は、例えば図１のプロセッサ１１などのプロセッサと協働して該装置に図１０の動作群のセットを実行させるように構成されたコンピュータコードを備えた、例えば図１のメモリ１２などのメモリを有することによって形態変更される。
【０１１２】
前に説明したように、ある状況下では、別個装置ディスプレイ上に表示された情報の表示を終結するのが望ましいことがある。
【０１１３】
ブロック１００２で、本装置は、図７のブロック７０２に関連して説明したのと同様に、本装置が別個装置の上に置かれたことを判定する。少なくとも１つの例示の実施形態において、本装置は透視ディスプレイを備える。ブロック１００４で、本装置は、図７のブロック７０４に関連して説明したのと同様に、透視ディスプレイの装置表示域を定める。ブロック１００６で、本装置は、図７のブロック７０６に関連して説明したのと同様に、透視ディスプレイの別個装置表示域を定める。ブロック１００８で、本装置は、図９のブロック９０８に関連して説明したのと同様に、別個装置表示域の位置と実質的に位置が合う、別個装置ディスプレイ上の位置を識別する。ブロック１０１０で、本装置は、図９のブロック９１０に関連して説明したのと同様に、別個装置表示域の大きさと実質的に合致する、別個装置ディスプレイ上の大きさを識別する。
【０１１４】
ブロック１０１２で、本装置は、本装置から別個装置に表示域命令を送信する。少なくとも１つの例示の実施形態において、表示域命令は、別個装置表示域に位置が合った情報の表示を終結することを別個装置に指示するように構成される。このように、表示域命令の送信は、別個装置上の位置の識別および別個装置上の大きさの識別に少なくとも部分的に基づくことができる。この送信および表示域命令は、図４Ａ〜４Ｃおよび図５Ａ〜５Ｃに関連して説明したものと同様であってよい。
【０１１５】
ブロック１０１４で、本装置は、図７のブロック７１０に関連して説明したのと同様に、入力を示す情報を受信する。ブロック１０１６で、本装置は、図７のブロック７１２に関連して説明したのと同様に、該入力が別個装置表示域に対応する入力位置を有することを判定する。ブロック１０１８で、本装置は、図７のブロック７１４に関連して説明したのと同様に、本装置から別個装置に動作命令を送信する。
【０１１６】
図１１は、少なくとも１つの例示の実施形態による、動作命令の送信に関連するアクティビティを示すフロー図である。少なくとも１つの例示の実施形態において、図１１のアクティビティに対応する動作群のセットが在る。例えば図１の電子装置１０などの装置またはその一部は、この動作群のセットを用いることが可能である。本装置は、例えば図１のプロセッサ１１などを含め、かかる動作群の実行のための手段を備えることができる。或る例示の実施形態において、例えば図１の電子装置１０などの装置は、例えば図１のプロセッサ１１などのプロセッサと協働して該装置に図１１の動作群のセットを実行させるように構成されたコンピュータコードを備えた、例えば図１のメモリ１２などのメモリを有することによって形態変更される。
【０１１７】
前に説明したように、ある状況下では、別個装置に動作命令を送信することが望ましいことがある。
【０１１８】
ブロック１１０２で、本装置は、図７のブロック７０２に関連して説明したのと同様に、本装置が別個装置の上に置かれたことを判定する。少なくとも１つの例示の実施形態において、本装置は透視ディスプレイを備える。ブロック１１０４で、本装置は、図７のブロック７０４に関連して説明したのと同様に、透視ディスプレイの装置表示域を定める。ブロック１１０６で、本装置は、図７のブロック７０６に関連して説明したのと同様に、透視ディスプレイの別個装置表示域を定める。ブロック１１０８で、本装置は、図７のブロック７０８に関連して説明したのと同様に、本装置から別個装置に表示域命令を送信する。
【０１１９】
ブロック１１１０で、本装置は、ドラッグ入力を示す情報を受信する。少なくとも１つの例示の実施形態において、該ドラッグ入力は、本装置表示域に対応する開始位置と、別個装置表示域に対応する終了位置とを備える。この受信、ドラッグ入力、開始位置、および終了位置は、図６Ａ〜６Ｅに関連して説明したものと同様であってよい。
【０１２０】
ブロック１１１２で、本装置は、ドラッグ入力が別個装置表示域に対応する終了位置を有することを判定する。この判定は、ドラッグ入力を示す情報の受信に少なくとも部分的に基づくことができる。この判定および終了位置は、図６Ａ〜６Ｅに関連して説明したものと同様であってよい。
【０１２１】
ブロック１１１４で、本装置は、開始位置に対応するインターフェース要素を識別する。この識別およびインターフェース要素は、図４Ａ〜４Ｃ、図５Ａ〜５Ｃ、および図６Ａ〜６Ｅに関連して説明したものと同様であってよい。
【０１２２】
ブロック１１１６で、本装置は、本装置から別個装置に動作命令を送信する。少なくとも１つの例示の実施形態において、動作命令は、入力に対応する動作を実行することを別個装置に指示するように構成される。少なくとも１つの例示の実施形態において、動作命令は、インターフェース要素に関連付けられた情報を備える。このように、動作命令の送信は、ドラッグ入力が別個装置表示域に対応する終了位置を有するとの判定に少なくとも部分的に基づくことができる。この送信、動作命令および動作は、図６Ａ〜６Ｅに関連して説明したものと同様であってよい。
【０１２３】
図１２は、少なくとも１つの例示の実施形態による、別個装置からのデータの受信に関連するアクティビティを示すフロー図である。少なくとも１つの例示の実施形態において、図１２のアクティビティに対応する動作群のセットが在る。例えば図１の電子装置１０などの装置またはその一部は、この動作群のセットを用いることが可能である。本装置は、例えば図１のプロセッサ１１などを含め、かかる動作群の実行のための手段を備えることができる。或る例示の実施形態において、例えば図１の電子装置１０などの装置は、例えば図１のプロセッサ１１などのプロセッサと協働して該装置に図１２の動作群のセットを実行させるように構成されたコンピュータコードを備える、例えば図１のメモリ１２などのメモリを有することによって形態変更される。
【０１２４】
前に説明したように、ある状況下では、別個装置からデータを受信することが望ましいことがある。
【０１２５】
ブロック１２０２で、本装置は、図７のブロック７０２に関連して説明したのと同様に、本装置が別個装置の上に置かれたことを判定する。少なくとも１つの例示の実施形態において、本装置は透視ディスプレイを備える。ブロック１２０４で、本装置は、図７のブロック７０４に関連して説明したのと同様に、透視ディスプレイの装置表示域を定める。ブロック１２０６で、本装置は、図７のブロック７０６に関連して説明したのと同様に、透視ディスプレイの別個装置表示域を定める。ブロック１２０８で、本装置は、図７のブロック７０８に関連して説明したのと同様に、本装置から別個装置に表示域命令を送信する。
【０１２６】
ブロック１２１０で、本装置は、ドラッグ入力を示す情報を受信する。少なくとも１つの例示の実施形態において、該ドラッグ入力は、別個装置表示域に対応する開始位置と、本装置表示域に対応する終了位置とを備える。この受信、ドラッグ入力、開始位置、および終了位置は、図６Ａ〜６Ｅに関連して説明したものと同様であってよい。
【０１２７】
ブロック１２１２で、本装置は、ドラッグ入力が別個装置表示域に対応する開始位置を有することを判定する。この判定は、ドラッグ入力を示す情報の受信に少なくとも部分的に基づくのがよい。この判定および開始位置は、図６Ａ〜６Ｅに関連して説明したものと同様であってよい。
【０１２８】
ブロック１２１４で、本装置は、本装置から別個装置に動作命令を送信する。少なくとも１つの例示の実施形態において、動作命令は、入力に対応する動作を実行し、開始位置に関連するデータを識別し、データを本装置に送信することを別個装置に指示するように構成される。このように、動作命令の送信は、ドラッグ入力が別個装置表示域に対応する開始位置を有するとの判定に少なくとも部分的に基づくことができる。この送信、動作命令、動作、およびデータは、図６Ａ〜６Ｅに関連して説明したものと同様であってよい。
【０１２９】
ブロック１２１６で、本装置は別個装置からデータを受信する。この受信は、図６Ａ〜６Ｅに関連して説明したものと同様であってよい。
【０１３０】
図１３は、少なくとも１つの例示の実施形態による、表示域終了命令の送信に関連するアクティビティを示すフロー図である。少なくとも１つの例示の実施形態において、図１３のアクティビティに対応する動作群のセットが在る。例えば図１の電子装置１０などの装置またはその一部は、この動作群のセットを用いることが可能である。本装置は、例えば図１のプロセッサ１１などを含め、かかる動作群の実行のための手段を備えることができる。或る例示の実施形態において、例えば図１の電子装置１０などの装置は、例えば図１のプロセッサ１１などのプロセッサと協働して該装置に図１３の動作群のセットを実行させるように構成されたコンピュータコードを備える、例えば図１のメモリ１２などのメモリを有することによって形態変更される。
【０１３１】
前に説明したように、ある状況下では、別個装置に表示域終結命令を送信することが望ましいことがある。
【０１３２】
ブロック１３０２で、本装置は、図７のブロック７０２に関連して説明したのと同様に、本装置が別個装置の上に置かれたことを判定する。少なくとも１つの例示の実施形態において、本装置は透視ディスプレイを備える。ブロック１３０４で、本装置は、図７のブロック７０４に関連して説明したのと同様に、透視ディスプレイの装置表示域を定める。ブロック１３０６で、本装置は、図７のブロック７０６に関連して説明したのと同様に、透視ディスプレイの別個装置表示域を定める。ブロック１３０８で、本装置は、図７のブロック７０８に関連して説明したのと同様に、本装置から別個装置に表示域命令を送信する。ブロック１３１０で、本装置は、図７のブロック７１０に関連して説明したのと同様に、入力を示す情報を受信する。ブロック１３１２で、本装置は、図７のブロック７１２に関連して説明したのと同様に、該入力が別個装置表示域に対応する入力位置を有することを判定する。ブロック１３１４で、本装置は、図７のブロック７１４に関連して説明したのと同様に、本装置から別個装置に動作命令を送信する。
【０１３３】
ブロック１３１６で、本装置は、本装置がもはや別個装置の上に置かれていないことを判定する。この判定は、図３Ａ〜３Ｃ、図４Ａ〜４Ｃおよび図５Ａ〜５Ｃに関連して説明したものと同様であってよい。
【０１３４】
ブロック１３１８で、本装置は、本装置から別個装置に表示域終結命令を送信する。少なくとも１つの例示の実施形態において、表示域終結命令は別個装置表示域の終結を伝える。このように、表示域終結命令の送信は、本装置がもはや別個装置の上に置かれていないとの判定に少なくとも部分的に基づくことができる。この送信および表示域終結命令は、図３Ａ〜３Ｃ、図４Ａ〜４Ｃおよび図５Ａ〜５Ｃに関連して説明したものと同様であってよい。
【０１３５】
本発明の諸実施形態は、ソフトウェア、ハードウェア、アプリケーションロジック、またはソフトウェア、ハードウェア、およびアプリケーションロジックの組み合わせに実装することができる。これらのソフトウェア、アプリケーションロジック、および／またはハードウェアは、本装置、別個デバイス、または複数の別個デバイス上に所在させることが可能である。必要な場合、これらのソフトウェア、アプリケーションロジック、および／またはハードウェアの一部を本装置上に所在させ、ソフトウェア、アプリケーションロジック、および／またはハードウェアの一部を別個のデバイス上に所在させ、ソフトウェア、アプリケーションロジック、および／またはハードウェアの一部を複数の別個デバイス上に所在させることもできよう。或る例示の実施形態において、該アプリケーションロジック、ソフトウェア、または命令セットは、様々な従来型コンピュータ可読媒体の任意の１つに維持される。
【０１３６】
必要な場合、本明細書で説明した各種の機能を、相互に異なった順序でおよび／または同時に実行することができる。例えば、図７のブロック７０４は、図７のブロック７０６の後に実行することも可能である。さらに、必要な場合、前述した機能の１つ以上を、任意選択としまたは組み合わせることができる。例えば、図７のブロック７０４は、任意選択にし、および／または図７のブロック７０６と組み合わせることも可能である。
【０１３７】
本発明の様々な態様が独立請求項に述べられているが、本発明の他の態様は、特許請求の範囲に明示で述べられた組み合わせだけでなく、前述の実施形態、および／または独立請求項の特徴を有する従属請求項からの特徴の他の組み合わせ備える。
【０１３８】
また、上記で本発明の例示の実施形態を記述しているが、これらの記述は限定を意味すると見なされるべきでないことに留意する。むしろ、添付の特許請求の範囲に定義された本発明の範囲から逸脱することなく実施の可能な諸別形および諸修改が存在する。
【図１】
0006262913.tif 000002
【図２】
0006262913.tif 000003
【図３】
0006262913.tif 000004
【図４】
0006262913.tif 000005
【図５Ａ】
0006262913.tif 000006
【図５Ｂ】
0006262913.tif 000007
【図５Ｃ】
0006262913.tif 000008
【図６Ａ】
0006262913.tif 000009
【図６Ｂ】
0006262913.tif 000010
【図６Ｃ】
0006262913.tif 000011
【図６Ｄ】
0006262913.tif 000012
【図６Ｅ】
0006262913.tif 000013
【図７】
0006262913.tif 000014
【図８】
0006262913.tif 000015
【図９】
0006262913.tif 000016
【図１０】
0006262913.tif 000017
【図１１】
0006262913.tif 000018
【図１２】
0006262913.tif 000019
【図１３】
0006262913.tif 000020